(57)【特許請求の範囲】
【請求項１】
箸を使用する施設に使用材料の表示を施した洗い箸をレンタルで提供する段階と、
レンタル業者が汚れた洗い箸を回収して洗浄し、洗浄された洗い箸を前記箸を使用する施設に配送してくり返し利用させる段階と、
レンタル業者が再生する必要のある洗い箸を前記使用材料の表示を用いて選別・回収するとともに、前記箸を使用する施設に洗い箸を補充する段階と、
レンタル後に前記箸を使用する施設から回収した洗い箸を粉砕・溶解し再度成形する段階と、
上記再成形された洗い箸を上記箸を使用する施設に再度レンタルで提供する段階を含むようにしたことを特徴とする箸のリサイクル方法。
【発明の詳細な説明】
【技術分野】
【０００１】
この発明は食堂やレストラン、ファーストフードの店、弁当販売店等の箸を使用する施設において、従来単に消費されるだけであった箸のほとんど大部分を、無理なく再利用することを可能とした箸のリサイクル方法に関するものである。
【背景技術】
【０００２】
食堂やレストラン、ファーストフードの店、弁当販売店等の箸を使用する施設においては、従来木材や竹材等の天然素材を加工した割り箸等の安価な箸が非常に多く利用されている。そしてこの箸は、ほとんどが使用後に廃棄処分されている。
また一方、上述のような天然素材やプラスチック、その他の素材からなる箸を食堂やレストラン、ファーストフードの店、弁当販売店等の箸を使用する施設で使用した後に、当該施設内で洗浄して再度使用することも行なわれている。
【０００３】
しかしながら、前者の割り箸等の廃棄処分は、天然の木材資源の無駄使いとして国際的にも批判のあるところである。
また、後者の食堂やレストラン、ファーストフードの店、弁当販売店等の施設で箸を使用した後に、この箸を当該施設内で洗浄して再度使用することは、衛生的に見て大きな問題のあるところであり、このような再利用の促進を阻害する重大な欠陥となっている。
しかも、これらの施設で使用される箸としては、メラミン等の熱硬化性樹脂製のものやポリプロピレン、耐衝撃性ポリスチレン等の熱可塑性樹脂製のものが混在しており、回収しても分別が難しく、極めてリサイクルには不向きであった。
【０００４】
そこで、本発明者は先に特願平３−２４４３７２号（特開平５−５７２７０号公報、特許文献１参照）において、食堂やレストラン等の箸を使用する施設において汚れた箸を回収する段階と、この回収された箸を直ちに再利用できる箸と、再生する必要のある箸とに選別する段階と、直ちに再利用できる箸を洗浄する段階、また再生する必要のある箸を粉砕・溶解し再度成形する段階と、上記洗浄ないし再成形された箸を密封包装する段階と、密封包装された箸を上記食堂やレストラン等の箸を使用する施設に配送する段階とを有することを特徴とする箸のリサイクルシステムを提案し、特許第２６８８５９０号公報（特許文献２参照）として特許された。
【特許文献１】特開平５−５７２７０号公報
【特許文献２】特許第２６８８５９０号公報
【発明の開示】
【発明が解決しようとする課題】
【０００５】
しかしながら前記箸のリサイクルシステムは、基本的に箸を粉砕・溶解し再度成形する段階を主要な要素としているため、使用する箸を洗い箸としてくり返し利用することを考慮したシステムとはなっておらず、資源の有効活用の面からは未だ完成の域には達していないものであった。
【０００６】
この発明の箸のリサイクル方法は従来例の以上の欠点を解消しようとするもので、食堂やレストラン、ファーストフードの店、弁当販売店等の施設から使用後の箸を回収し、その後衛生的な処理を施して無理なく再利用することができるようにするばかりでなく、基本的に使用する箸を洗い箸としてくり返し利用することを主眼としており、貴重な天然資源を有効活用できるようにしたものである。
【課題を解決するための手段】
【０００７】
すなわちこの発明の箸のリサイクル方法は、
箸を使用する施設に使用材料の表示を施した洗い箸を搬送する段階と、
汚れた洗い箸を前記箸を使用する施設で洗浄してくり返し利用する段階と、
再生する必要のある洗い箸を、前記箸を使用する施設で選別・回収する段階と、
前記箸を使用する施設で回収した再生する必要のある洗い箸を粉砕・溶解し再度成形する段階とで構成され、
上記再成形された洗い箸を前記箸を使用する施設に再度搬送する段階を含むようにしたことを特徴とするものである。
【０００８】
この発明の箸のリサイクル方法は、
箸を使用する施設に使用材料の表示を施した洗い箸をレンタルで提供する段階と、
汚れた洗い箸を前記箸を使用する施設で洗浄してくり返し利用する段階と、
再生する必要のある洗い箸を、前記箸を使用する施設で選別・回収するとともに、前記箸を使用する施設に洗い箸を補充する段階と、
レンタル後に、前記箸を使用する施設で回収した洗い箸を粉砕・溶解し再度成形する段階と、
上記再成形された洗い箸を前記箸を使用する施設に再度レンタルで提供する段階を含むようにしたことをも特徴としている。
【０００９】
この発明の箸のリサイクル方法は、
箸を使用する施設に使用材料の表示を施した洗い箸をレンタルで提供する段階と、
レンタル業者が汚れた洗い箸を回収して洗浄し、洗浄された洗い箸を前記箸を使用する施設に配送してくり返し利用させる段階と、
レンタル業者が再生する必要のある洗い箸を前記使用材料の表示を用いて選別・回収するとともに、前記箸を使用する施設に洗い箸を補充する段階と、
レンタル後に前記箸を使用する施設から回収した洗い箸を粉砕・溶解し再度成形する段階と、
上記再成形された洗い箸を上記箸を使用する施設に再度レンタルで提供する段階を含むようにしたことをも特徴としている。
【発明の効果】
【００１０】
この発明の箸のリサイクル方法は以上のように構成したので、食堂やレストラン、ファーストフードの店、弁当販売店等の施設から使用後の箸を回収し、その後衛生的な処理を施して有用な資源を無駄なく再利用することができるばかりでなく、基本的に使用する箸を洗い箸としてくり返し利用することにより、貴重な天然資源が有効活用できるようになった。
【００１１】
また、職業的な施設や人員で衛生的な処理を施した上で、食堂やレストラン、ファーストフードの店、弁当販売店等の施設における再利用に供することができ、だれでも抵抗なく食堂やレストラン、ファーストフードの店、弁当販売店等の施設で提供する箸を使用することができる。
【発明を実施するための最良の形態】
【００１２】
以下この発明の箸のリサイクル方法の実施の形態を図面に基いて詳細に説明する。
図１はこの発明の箸のリサイクル方法の１実施例を示すブロック図、図２（ａ），（ｂ）は、それぞれ洗浄殺菌後に包装資材で包装された洗い箸の例を示す正面図、図３はこの発明の箸のリサイクル方法の他の実施例を示すブロック図、図４はこの発明の箸のリサイクル方法のさらに別の実施例を示すブロック図である。
【００１３】
図１はこの発明の箸のリサイクル方法の１実施例を示すブロック図である。
まず、食堂やレストラン、ファーストフードの店、弁当販売店等の施設においては、食事に使用する箸として木材や竹材、象牙や牛角等の天然素材が一般的に使用されているが、本発明ではプラスチックや軽金属、セラミック等の人工的な素材も使用することができる。前記箸を使用する施設に洗い箸の製造業者やリサイクル業者が所定の数量搬送する。
そして、食堂やレストラン、ファーストフードの店、弁当販売店等の施設において食事の際に使用された洗い箸は前記箸を使用する施設で洗浄し、必要に応じて消毒してくり返し利用される。
【００１４】
食事の際に使用された洗い箸は、使用中に傷ついたり、変形や破損したり、あるいは色合いが変色したりした段階で、再生する必要があるかどうかを選別し、必要があると判断されると回収箱等に投入されて回収される。なお、前記再生する必要があるかどうかの判別に際しては、目視ではなく、ＣＣＤカメラ等を用いたセンサを利用して機械的に判別することもできる。
【００１５】
前記回収箱等を用いて回収業者等によって回収された、再生する必要のある洗い箸は、粉砕・溶解して再度成形することにより、利用可能な洗い箸として再生される。
すなわち、再生する必要のある洗い箸は、プラスチックや軽金属等においては加熱や溶媒によって溶解し、成分ごとに分別して成形工程に送られて成形される。他方セラミック等においては粉砕した上で再度成形される。
その際、箸１１自体に箸１１の使用原料（素材）の表示を刻印や印刷等によって施しておけば、回収後の分別が容易となり、その後の成形工程において不具合が生じることがなく、非常に有意義である。
【００１６】
次に洗浄ないし再度成形されて利用可能となった洗い箸は、所定の包装資材で包装されるが、このとき特に真空包装その他の密封可能な包装を適用することが重要な点である。こうすることによって食堂やレストラン、ファーストフードの店、弁当販売店等の施設において利用者は安心して再利用の洗い箸を食事に使用することができる。
【００１７】
上述のようにして包装された洗い箸は、食堂やレストラン、ファーストフードの店、弁当販売店等の施設へ前記販売業者やリサイクル業者等が搬送して食堂やレストラン、ファーストフードの店、弁当販売店等に再度提供され、利用に供される。もちろん、前記販売業者やリサイクル業者等が、各商品を納入する納入業者、食材業者、回収業者等に委託して行なわせることもできる。
【００１８】
図２（ａ），（ｂ）は、洗浄殺菌後に包装資材で包装された洗い箸１１を示すものであり、（ａ）は洗い箸１１全体を包装資材１２で包装するもの、（ｂ）はその一部に巻きつけた帯１３を示すものである。このような包装を施すことにより、搬送中に雑菌その他の付着や汚染を受けることがなく、衛生的な箸１１を提供することができる。
また、前記包装資材１２や帯１３には消毒済みの表示や洗い箸の製造業者やリサイクル業者の表示、また食堂やレストラン、ファーストフードの店、弁当販売店等の店名や広告等を表示することができる。
もちろん、箸１１自体や包装資材１２や帯１３等に、箸１１の使用原料（素材）の表示を施しておけば、回収後の分別が容易となり、その後のリサイクルに際して非常に有意義なものとなる。
【００１９】
図３はこの発明の箸のリサイクル方法の他の実施例を示すブロック図である。
この実施例においては、前記箸を使用する施設に洗い箸の製造業者やリサイクル業者が所定の数量レンタル契約をして貸し出す。このレンタル期間は、日単位、週単位、月単位、あるいは年単位とすることができ、洗い箸の種類や利用頻度、その他の要素を勘案して適宜決定することができる。
そして、食堂やレストラン、ファーストフードの店、弁当販売店等の施設において食事の際に使用された洗い箸は前記箸を使用する施設で洗浄し、必要に応じて消毒してくり返し利用される。
【００２０】
食事の際に使用された洗い箸は、使用中に傷ついたり、変形や破損したり、あるいは色合いが変色したりした段階で、再生する必要があるかどうかを選別し、必要があると判断されると回収箱等に投入されて回収される。なお、前記再生する必要があるかどうかの判別に際しては、目視ではなく、ＣＣＤカメラ等を用いたセンサを利用して機械的に判別することもできる。
このようにして洗い箸が回収されると、レンタル契約した製造業者やリサイクル業者は食堂やレストラン、ファーストフードの店、弁当販売店等の施設に所定の数量洗い箸を補充する。
【００２１】
前記回収箱等を用いて回収業者等によって回収されたり、レンタル契約が終了して回収された洗い箸中、再生する必要のある洗い箸は、粉砕・溶解して再度成形することにより、利用可能な洗い箸として再生され、所定の包装資材で包装されて再度レンタルによって前記施設に提供され、利用に供される。
このように洗い箸をレンタル契約によって食堂やレストラン、ファーストフードの店、弁当販売店等の施設に提供することにより、これらの施設は洗い箸を所有することによってこうむる種々の負担を軽減することができる。
【００２２】
図４はこの発明の箸のリサイクル方法のさらに別の実施例を示すブロック図である。
この実施例においては、前記箸を使用する施設に洗い箸の製造業者やリサイクル業者が所定の数量レンタル契約をして貸し出す。このレンタル期間は、日単位、週単位、月単位、あるいは年単位とすることができ、洗い箸の種類や利用頻度、その他の要素を勘案して適宜決定することができる。
そして、食堂やレストラン、ファーストフードの店、弁当販売店等の施設において食事の際に使用された洗い箸は、回収箱等に投入される。そしてこの回収された洗い箸は、製造業者やリサイクル業者、前記施設等が委託した、洗浄・殺菌・包装等の専門業者が引き取り、機械的に洗浄し、必要に応じて消毒して包装され、その後食堂やレストラン、ファーストフードの店、弁当販売店等の施設に配送されてくり返し利用される。
【００２３】
食事の際に使用された洗い箸は、使用中に傷ついたり、変形や破損したり、あるいは色合いが変色したりした段階で、前記専門業者が再生する必要があるかどうかを選別し、必要があると判断されると選別されて再生用の回収箱によって回収される。
このようにして洗い箸が回収されると、レンタル契約した製造業者やリサイクル業者は食堂やレストラン、ファーストフードの店、弁当販売店等の施設に所定の数量洗い箸を補充する。
【００２４】
前記再生用の回収箱等を用いて回収されたり、レンタル契約が終了して回収された洗い箸中、再生する必要のある洗い箸は、粉砕・溶解して再度成形することにより、利用可能な洗い箸として再生され、所定の包装資材で包装されて再度レンタルによって前記施設に提供される。
このように洗い箸を食堂やレストラン、ファーストフードの店、弁当販売店等の施設から専門業者が回収して洗浄や消毒を施すことにより、洗浄や消毒の効率化を図ることができ、また衛生面のイメージを大幅に向上させることができる。
【産業上の利用可能性】
【００２５】
この発明の箸のリサイクル方法は以上のように構成したので、食堂やレストラン、ファーストフードの店、弁当販売店等の施設から使用後の箸を回収し、その後衛生的な処理を施して有用な資源を無駄なく再利用することができる。
【００２６】
もちろんこの発明の箸のリサイクル方法は、食堂やレストラン、ファーストフードの店、弁当販売店等の施設で提供する箸に限定されることなく、スプーンやフォーク、その他の各種飲食用機材のリサイクルに応用することができる。
【図面の簡単な説明】
【００２７】
【図１】この発明の箸のリサイクル方法の１実施例を示すブロック図である。
【図２】（ａ），（ｂ）はそれぞれ洗浄殺菌後に包装資材で包装された洗い箸の例を示す正面図である。
【図３】この発明の箸のリサイクル方法の他の実施例を示すブロック図である。
【図４】この発明の箸のリサイクル方法のさらに別の実施例を示すブロック図である。
【符号の説明】
【００２８】
１１ 箸
１２ 包装資材
１３ 帯
【図１】
0005490995.tif 000002
【図２】
0005490995.tif 000003
【図３】
0005490995.tif 000004
【図４】
0005490995.tif 000005